(57)【要約】【課題】見やすく、かつ、一般の人が本格的な易を簡単に楽しむことができる易占用八面体サイコロを提供する。【解決手段】八面体からなる２個一対のサイコロ本体１とサイコロ本体２を設ける。このサイコロ本体１とサイコロ本体２の八面体の各面ごとに易占で使用される八卦の記号１１、２１および文字１２、２２を組み合わせて表示する。また、この２個のサイコロ本体１とサイコロ本体２に異なる色彩を施して区分し、上の卦と下の卦とを表わすように構成する。【選択図】図１
2009189748.tif 000002
【特許請求の範囲】
【請求項１】
八面体の各面ごとに易占で使用される八卦の記号および文字を組み合わせて表示したサイコロを２個設けるとともに、前記２個のサイコロに異なる色彩を施して区分し、上の卦と下の卦とを表わすように構成したことを特徴とする易占用八面体サイコロ。
【請求項２】
前記２個のサイコロの八面体の各面ごとに組み合わせて表示した八卦の記号および文字に、２個のサイコロを区分するための異なる色彩を施したことを特徴とする請求項１記載の易占用八面体サイコロ。
【請求項３】
前記２個のサイコロの八面体の各面ごとに組み合わせて表示した八卦の記号および文字に施した色彩は、一方のサイコロの八卦の記号および文字に黒色を施し、また他方のサイコロの八卦の記号および文字に赤色を施したことを特徴とする請求項１または請求項２記載の易占用八面体サイコロ。
【請求項４】
前記八面体の各面ごとに組み合わせて表示した八卦の記号および文字は、文字よりも記号を大きく表示したことを特徴とする請求項１から請求項３のうちいずれか一項記載の易占用八面体サイコロ。
【請求項５】
前記２個のサイコロは、各頂点および各稜線部分に丸みをつけて転がりやすく形成したことを特徴とする請求項１記載の易占用八面体サイコロ。
【発明の詳細な説明】
【技術分野】
【０００１】  本発明は、易占をする際に使用する易占用八面体サイコロに関する。
【背景技術】
【０００２】  従来、八卦は、ぜい竹を使用する占いであるが、その操作が複雑であり、一般の人が簡易に取り扱えるものではない。【０００３】  このような課題を解消し、簡易に易占を行なう方法としては、例えば、正三角形の八面集合による立方体の各面に八卦の記号を付けた占い用具が提案されている（例えば、特許文献１参照）。【０００４】  上記特許文献１に記載されている占い用具を使用して易占を行なう場合は、占い用具を２回転がして、例えば、最初を上の卦、２度目を下の卦として最上面に出た記号を見る。このように、占い用具を２回転がすという操作によって得た八面体の各記号の組み合わせは、八卦基本易の六十四卦となり、この六十四卦の構成表から目的の「卦辞」を選ぶことによって、一般の人も易占を簡易に楽しむことができる。【０００５】
【特許文献１】実開昭５０−９５０８４号公報
【発明の開示】
【発明が解決しようとする課題】
【０００６】  しかし、上述した特許文献１の占い用具は、易占を行なう場合、１個の占い用具を２回転がして、上の卦と下の卦を読み取る手間が必要であり、また、最初の転がし操作の際に表れた記号を覚えておく必要があるという煩わしさがある。【０００７】  さらに、占い用具の各面に付けられた記号が八卦を表わす文字のみが表示されている場合は、その文字が常用漢字ではないため、一般の人には読むことが難しいという問題があった。【０００８】  本発明は、このような従来の構成が有していた問題を解決しようとするものであり、見やすく、かつ、一般の人が、本格的な易を簡単に楽しむことができる易占用八面体サイコロを提供することを目的としている。
【課題を解決するための手段】
【０００９】  上記の目的を達成するために、本発明の易占用八面体サイコロにおいては、八面体の各面ごとに易占で使用される八卦の記号および文字を組み合わせて表示したサイコロを２個設けるとともに、前記２個のサイコロに異なる色彩を施して区分し、上の卦と下の卦とを表わすように構成したことを特徴としている。【００１０】  さらに、本発明は、上記易占用八面体サイコロにおいて、以下の態様の発明をも提供するものである。【００１１】  すなわち、前記２個のサイコロの八面体の各面ごとに組み合わせて表示した八卦の記号および文字に、２個のサイコロを区分するための異なる色彩を施すことが効果的である。【００１２】  また、前記２個のサイコロの八面体の各面ごとに組み合わせて表示した八卦の記号および文字に施した色彩は、一方のサイコロの八卦の記号および文字に黒色を施し、また他方のサイコロの八卦の記号および文字に赤色を施すことが好ましい。【００１３】  また、前記八面体の各面ごとに組み合わせて表示した八卦の記号および文字は、文字よりも記号を大きく表示することが効果的である。【００１４】  さらに、前記２個のサイコロは、各頂点および各稜線部分に丸みをつけて転がりやすく形成することが好ましい。
【発明の効果】
【００１５】  本発明の易占用八面体サイコロは、八面体の各面ごとに易占で使用される八卦の記号および文字を組み合わせて表示したサイコロを２個設けるとともに、この２個のサイコロに２個のサイコロを区分するための異なる色彩を施したことにより、見やすく、かつ、一般の人が、本格的な易を簡単に楽しむことができる。
【発明を実施するための最良の形態】
【００１６】  以下、本発明の実施の形態について、図１および図２を用いて説明する。【００１７】  図１の（ａ）は、２個一対のサイコロのうちの一方のサイコロ本体１を示す斜視図であり、図２の（ａ）は、このサイコロ本体１の展開図を示している。また、図１の（ｂ）は、もう一方のサイコロ本体２を示す斜視図であり、図２の（ｂ）は、このサイコロ本体２の展開図を示している。【００１８】  図１の（ａ）と（ｂ）に示す２個一対のサイコロ本体１とサイコロ本体２は、プラスチック、金属、紙あるいはゴム等のサイコロを形成するのに適する素材を用いて八面体をそれぞれ形成している。【００１９】  ２個一対のうちの一方のサイコロ本体１は、八面体の各面ごとに、易占で使用される八卦の記号１１と文字１２とが組み合わされて表示されている。また、他方のサイコロ本体２は、サイコロ本体１と同様に、八面体の各面ごとに、易占で使用される八卦の記号２１と文字２２とが組み合わされて表示されている。【００２０】  さらに、サイコロ本体１の八面体の各面ごとに組み合わされて表示されている八卦の記号１１と文字１２、および、サイコロ本体２の八面体の各面ごとに組み合わされて表示されている八卦の記号２１と文字２２には、サイコロ本体１とサイコロ本体２とを区分するための異なる色彩が施されている。【００２１】  この八卦の記号１１と記号２１、および、文字１２と文字２２に施された色彩は、例えば、一方のサイコロ本体１の八卦の記号１１と文字１２には、黒色を施すとともに、他方のサイコロ本体２の八卦の記号２１と文字２２には、赤色を施し、サイコロ本体１とサイコロ本体２とを区分するように構成されている。【００２２】  また、八面体の各面ごとに組み合わせて表示された八卦の記号１１、２１、および、文字１２、２２は、文字１２、２２よりも記号１１、２１を大きく表示し、文字１２、２２が難しくて読めない場合であっても、記号１１、２１の図匠表示に基づき、上の卦と、下の卦を容易に読み取ることができるように形成している。【００２３】  また、このサイコロ本体１とサイコロ本体２は、その各頂点１３、２３および各稜線部分１４、２４に、丸みをつけ、どの方向にでも、平均して転がるように形成することが望ましい。【００２４】  上述した実施例のように構成した易占用八面体サイコロを用いて易占を行なう場合は、上の卦と下の卦を表わす２個のサイコロ本体１とサイコロ本体２とを２個同時に転がす。この転がし操作によって、サイコロ本体１の最上面に出た黒色の記号１１と文字１２から上の卦を読み、また、サイコロ本体２の赤色の記号２１と文字２２から下の卦を読む。この結果を、六十四卦の構成表から目的の「卦辞」を選び、卦を見ることができる。【００２５】  したがって、上述した実施例によれば、八面体の各面ごとに易占で使用される八卦の記号および文字を組み合わせて表示したサイコロを２個設けるとともに、この２個のサイコロに、２個のサイコロを区分するための異なる色彩を施したことにより、見やすく、かつ、一般の人が本格的な易を簡単に楽しむことができる。【００２６】  なお、上述した実施例の易占用八面体サイコロは、２個一対のサイコロ本体１とサイコロ本体２とを区分するために、一��のサイコロ本体１の八卦の記号１１と文字１２に黒色を施し、また他方のサイコロ本体２の八卦の記号２１と文字２２に赤色を施した場合について説明したが、この実施例に限定されるものではなく、例えば、サイコロ本体１とサイコロ本体２の八面体の各面全体に異なる色彩を施して区分することは可能である。このように、本発明の趣旨に基づいて種々の形態を採りうることは、勿論である。
【図面の簡単な説明】
【００２７】
【図１】本発明に係る易占用八面体サイコロの実施例を示す斜視図である。
【図２】図１に示す易占用八面体サイコロの展開図である。
【符号の説明】
【００２８】    １    サイコロ本体
１１  記号
１２  文字
１３  頂点
１４  稜線部分
２    サイコロ本体
２１  記号
２２  文字
２３  頂点
２４  稜線部分
【図１】
2009189748.tif 000003
【図２】
2009189748.tif 000004